(57)【要約】  要約すると、１または複数の実施形態により、ユーザ機器（ＵＥ）の装置は、物理アップリンク制御チャネル（ＰＵＣＣＨ）に基づいて、スケジューリング要求（ＳＲ）送信を構成し、スケジューリング要求をバッファステータスレポート（ＢＳＲ）と組み合わせるための回路を備える。ＵＥは、組み合わされたＳＲおよびＢＳＲを単一のサブフレーム内でネットワークエンティティに送信し、組み合わされたＳＲおよびＢＳＲに応答するネットワークエンティティからアップリンクリソーススケジューリングを受信し、および前記アップリンクリソーススケジューリングに従い、アップリンクデータをネットワークエンティティに送信する。
2018520529.tif 000002
【特許請求の範囲】
【請求項１】
回路を備えるユーザ機器（ＵＥ）の装置であって、
前記回路は、
物理アップリンク制御チャネル（ＰＵＣＣＨ）に基づいて、スケジューリング要求（ＳＲ）送信を構成し、
前記スケジューリング要求をバッファステータスレポート（ＢＳＲ）と組み合わせ、
前記組み合わされたＳＲおよびＢＳＲを単一のサブフレーム内でネットワークエンティティに送信し、
前記組み合わされたＳＲおよびＢＳＲに応答する前記ネットワークエンティティからアップリンクリソーススケジューリングを受信し、
前記アップリンクリソーススケジューリングに従い、アップリンクデータを前記ネットワークエンティティに送信する、装置。
【請求項２】
前記ＰＵＣＣＨは、ＰＵＣＣＨフォーマット１、ＰＵＣＣＨフォーマット１ｂ、ＰＵＣＣＨフォーマット２、またはＰＵＣＣＨフォーマット３、またはそれらの組み合わせを含む、請求項１に記載の装置。
【請求項３】
組み合わされたＳＲおよびＢＳＲを周期的に送信するための無線周波数回路を備える、請求項１または２に記載の装置。
【請求項４】
前記ＢＳＲをＰＵＣＣＨフォーマット２またはＰＵＣＣＨフォーマット３のペイロードとして送信するための無線周波数回路を備える、請求項１から３のいずれか一項に記載の装置。
【請求項５】
前記組み合わされたＳＲおよびＢＳＲ送信が、同一のＰＵＣＣＨリソース内のチャネル状態インジケータ（ＣＳＩ）送信または確認応答／否定応答（ＡＣＫ／ＮＡＣＫ）送信と衝突する場合、前記組み合わされたＳＲおよびＢＳＲを送信せずに、前記ＣＳＩまたは前記ＡＣＫ／ＮＡＣＫを送信するための無線周波数回路を備える、請求項１から４のいずれか一項に記載の装置。
【請求項６】
前記ペイロードの１ビットは、ＡＣＫ／ＮＡＣＫおよび非連続送信（ＤＴＸ）状態を示し、前記ペイロードの別のビットは、バッファステータスレポートグループインジケータ（ＢＳＲＧＩ）を示す、請求項４に記載の装置。
【請求項７】
前記ＢＳＲは２または２より多いグループに分割され、閾値は無線リソース制御（ＲＲＣ）シグナリングによって、または第３世代パートナシッププロジェクト（３ＧＰＰ）規格で定義されるように構成される、請求項１から６のいずれか一項に記載の装置。
【請求項８】
回路を備えるユーザ機器（ＵＥ）の装置であって、
前記回路は、
物理アップリンク制御チャネル（ＰＵＣＣＨ）に基づいてスケジューリング要求（ＳＲ）送信を構成し、
前記スケジューリング要求をバッファステータスレポートグループインジケータ（ＢＳＲＧＩ）と組み合わせ、
前記組み合わされたＳＲおよびＢＳＲＧＩを単一のサブフレーム内でネットワークエンティティに送信し、
前記組み合わされたＳＲおよびＢＳＲＧＩに応答する前記ネットワークエンティティからアップリンクリソーススケジューリングを受信し、
前記アップリンクリソーススケジューリングに従い、アップリンクデータを前記ネットワークエンティティに送信する、装置。
【請求項９】
ＰＵＣＣＨフォーマット２に基づく前記組み合わされたＳＲおよびＢＳＲＧＩメッセージを送信するための無線周波数回路を備える、請求項８に記載の装置。
【請求項１０】
前記ＢＳＲＧＩは、ＰＵＣＣＨフォーマット２ペイロードの末尾に、１ビットまたは２ビットを有する、請求項９に記載の装置。
【請求項１１】
周期的なチャネル状態インジケータ（ＣＳＩ）と共に送信される前記組み合わされたＳＲおよびＢＳＲＧＩメッセージを送信するための無線周波数回路を有する、請求項８から１０のいずれか一項に記載の装置。
【請求項１２】
前記ＢＳＲＧＩを表わすビットがすべてゼロの場合、前記ＳＲは送信されない、請求項８から１１のいずれか一項に記載の装置。
【請求項１３】
格納された命令を備える１または複数のコンピュータ可読媒体であって、前記命令がユーザ機器（ＵＥ）によって実行されると、
物理アップリンク制御チャネル（ＰＵＣＣＨ）に基づいてスケジューリング要求（ＳＲ）送信を構成し、
前記スケジューリング要求をバッファステータスレポート（ＢＳＲ）と組み合わせ、
前記組み合わされたＳＲおよびＢＳＲを単一のサブフレーム内でネットワークエンティティに送信し、
前記組み合わされたＳＲおよびＢＳＲに応答する前記ネットワークエンティティからアップリンクリソーススケジューリングを受信し、
前記アップリンクリソーススケジューリングに従い、アップリンクデータを前記ネットワークエンティティに送信する、
ことをもたらす、１または複数のコンピュータ可読媒体。
【請求項１４】
前記ＰＵＣＣＨは、ＰＵＣＣＨフォーマット１、ＰＵＣＣＨフォーマット１ｂ、ＰＵＣＣＨフォーマット２、またはＰＵＣＣＨフォーマット３、またはそれらの組み合わせを含む、請求項１３に記載の１または複数のコンピュータ可読媒体。
【請求項１５】
前記命令が前記ＵＥによって実行されると、組み合わされたＳＲおよびＢＳＲを周期的に送信することをもたらす、請求項１３または１４に記載の１または複数のコンピュータ可読媒体。
【請求項１６】
前記命令が前記ＵＥによって実行されると、前記ＢＳＲをＰＵＣＣＨフォーマット２またはＰＵＣＣＨフォーマット３のペイロードとして送信することをもたらす、請求項１３から１５のいずれか一項に記載の１または複数のコンピュータ可読媒体。
【請求項１７】
前記命令が前記ＵＥによって実行されると、
前記組み合わされたＳＲおよびＢＳＲ送信が同一のＰＵＣＣＨリソース内のチャネル状態インジケータ（ＣＳＩ）送信または確認応答／否定応答（ＡＣＫ／ＮＡＣＫ）送信と衝突する場合、前記組み合わされたＳＲおよびＢＳＲを送信せずに、前記ＣＳＩまたは前記ＡＣＫ／ＮＡＣＫを送信することをもたらす、請求項１３から１６のいずれか一項に記載の１または複数のコンピュータ可読媒体。
【請求項１８】
前記ペイロードの１ビットは、ＡＣＫ／ＮＡＣＫおよび非連続送信（ＤＴＸ）状態を示し、前記ペイロードの別のビットは、バッファステータスレポートグループインジケータ（ＢＳＲＧＩ）を示す、請求項１６に記載の１または複数のコンピュータ可読媒体。
【請求項１９】
前記ＢＳＲは、２または２より多いグループに分割され、閾値は、無線リソース制御（ＲＲＣ）シグナリングによって、または第３世代パートナシッププロジェクト（３ＧＰＰ）規格で定義されるように構成される、請求項１３から１８のいずれか一項に記載の１または複数のコンピュータ可読媒体。
【請求項２０】
格納された命令を備える１または複数のコンピュータ可読媒体であって、前記命令がユーザ機器（ＵＥ）によって実行されると、
物理アップリンク制御チャネル（ＰＵＣＣＨ）に基づいてスケジューリング要求（ＳＲ）送信を構成し、
前記スケジューリング要求をバッファステータスレポートグループインジケータ（ＢＳＲＧＩ）と組み合わせ、
前記組み合わされたＳＲおよびＢＳＲＧＩを単一のサブフレーム内でネットワークエンティティに送信し、
前記組み合わされたＳＲおよびＢＳＲＧＩに応答する前記ネットワークエンティティからアップリンクリソーススケジューリングを受信し、
前記アップリンクリソーススケジューリングに従い、アップリンクデータを前記ネットワークエンティティに送信する、
ことをもたらす、１または複数のコンピュータ可読媒体。
【請求項２１】
前記命令が前記ＵＥによって実行されると、ＰＵＣＣＨフォーマット２に基づく前記組み合わされたＳＲおよびＢＳＲＧＩメッセージを送信することをもたらす、請求項２０に記載の１または複数のコンピュータ可読媒体。
【請求項２２】
前記ＢＳＲＧＩは、ＰＵＣＣＨフォーマット２ペイロードの末尾に１ビットまたは２ビットを有する、請求項２１に記載の１または複数のコンピュータ可読媒体。
【請求項２３】
前記命令が前記ＵＥによって実行されると、周期的なチャネル状態インジケータ（ＣＳＩ）と共に送信される前記組み合わされたＳＲおよびＢＳＲＧＩメッセージを送信することをもたらす、請求項２０から２２のいずれか一項に記載の１または複数のコンピュータ可読媒体。
【請求項２４】
前記ＢＳＲＧＩを表わすビットがすべてゼロの場合、前記ＳＲは送信されない、請求項２０から２３のいずれか一項に記載の１または複数のコンピュータ可読媒体。
【発明の詳細な説明】
【技術分野】
【０００１】
［関連出願の相互参照］
本願は、２０１５年５月２１日に出願された国際出願ＰＣＴ／ＣＮ２０１５／０７９４９２号（整理番号第Ｐ８５６３５ＰＣＴ−Ｚ号）に基づく米国特許法第３６５条（ｂ）に規定する優先権を主張する。当該出願ＰＣＴ／ＣＮ２０１５／０７９４９２号は、参照により本明細書にその全体が組み込まれる。
【背景技術】
【０００２】
１または複数の実施形態において、ネットワークは、第３世代パートナシッププロジェクト（３ＧＰＰ）ロングタームエボリューション（ＬＴＥ）規格またはロングタームエボリューションアドバンスト（ＬＴＥ‐Ａ）に従い、動作してよい。このようなネットワークにおいては、ユーザ機器（ＵＥ）がアップリンクリソースを要求するために、スケジューリング要求（ＳＲ）が使用されてよい。ＵＥは、物理アップリンク制御チャネル（ＰＵＣＣＨ）に基づき、非競合ベースの態様でそのＳＲを送信してよい。まず、ＵＥは、そのスケジューリング要求（ＳＲ）をＰＵＣＣＨで進化型ノードＢ（ｅＮＢ）に送信する。ＵＥは、ｅＮＢがアップリンク（ＵＬ）グラントを送信するまで待機してから、ＵＥはそのバッファステータスレポート（ＢＳＲ）をｅＮＢに送信する。これに応答して、ｅＮＢは、受信されたＢＳＲに基づいて、ＵＥのアップリンクデータ送信のためのアップリンクリソースをスケジュールしてよく、ｅＮＢは、そのスケジュールを次のＵＬグラントで送信する。その後、ＵＥは、スケジューリングされたリソースにより、そのＵＬデータをｅＮＢに送信してよい。このような構成は、ＳＲおよびＢＳＲが異なるサブフレーム内で送信されるので、特にＵＥがショートバッファを有する場合、高レイテンシを有する可能性がある。
【図面の簡単な説明】
【０００３】
特許請求された主題は、具体的に指摘され、明細書の最終部分において、明確に特許請求される。しかしながら、このような主題は、以下の詳細な説明を参照する際、添付図面と併せて読むことで理解されるであろう。
【０００４】
【図１】１または複数の実施形態による、スケジューリング要求の送信におけるレイテンシの低減を示すネットワークの図である。
【０００５】
【図２】１または複数の実施形態による、スケジューリング要求およびバッファステータスレポートがサブフレーム内で共に送信される図１のネットワークの図である。
【０００６】
【図３】１または複数の実施形態による、スケジューリング要求およびバッファステータスレポートグループインジケータがサブフレーム内で共に送信される図１のネットワークの図である。
【０００７】
【図４】１または複数の実施形態による、スケジューリング要求の送信におけるレイテンシの低減が可能な情報処理システムのブロック図である。
【０００８】
【図５】１または複数の実施形態による、随意でタッチスクリーンを含んでよい、図４の情報処理システムの等角投影図である。
【０００９】
【図６】１または複数の実施形態による、無線デバイスの例示的なコンポーネントの図である。
【００１０】
説明を簡易におよび／またはわかりやすくするために、図面中に示される要素は、必ずしも縮尺通り描かれていないことを理解されたい。例えば、わかりやすくするため、一部の要素の寸法が、他の要素と比較して誇張されていることがある。さらに、適切と考えられる場合は、参照符号が複数の図面を通して繰り返し使用され、対応するおよび／または類似する要素を示している。
【発明を実施するための形態】
【００１１】
以下の詳細な説明においては、特許請求された主題に関する完全な理解を共すべく、多くの具体的な詳細が記載されている。しかしながら、特許請求された主題は、これらの具体的な詳細を省いても実施可能であることは、当業者の理解するところである。他の例においては、周知の方法、手順、コンポーネントおよび／または回路は、詳細に説明していない。
【００１２】
以下の詳細な説明および／または特許請求の範囲において、「連結された（ｃｏｕｐｌｅｄ）」および／または「接続された（ｃｏｎｎｅｃｔｅｄ）」という用語と共にそれらの派生語が、使用されることがある。特定の実施形態においては、接続されたは、２または２より多い要素が、互いに直接物理的および／または電気的に接触することを示すべく使用されてよい。連結されたは、２または２より多い要素が直接物理的および／または電気的に接触することを意味してよい。しかしながら、また、連結されたは、２または２より多い要素が互いに直接接触はしない可能性があるが、それでもなお、互いに協働および／または相互作用してよいことを意味してよい。例えば、「連結された」は、２または２より多い要素が互いに接触はしないが、別の要素または中間要素を介して間接的に共に結合されることを意味してよい。最後に、「上（ｏｎ）」、「上を覆う（ｏｖｅｒｌｙｉｎｇ）」および「上方（ｏｖｅｒ）」という用語が、以下の詳細な説明および特許請求の範囲において使用されることがある。「上（ｏｎ）」、「上を覆う（ｏｖｅｒｌｙｉｎｇ）」、および「上方（ｏｖｅｒ）」は、２または２より多い要素が互いに直接物理的に接触していることを示すために使用されてよい。しかしながら、また、「上方（ｏｖｅｒ）」は、２または２より多い要素が、互いに直接接触しないことを意味してもよい。例えば、「上方（ｏｖｅｒ）」は、ある要素が別の要素の上方に存在するが、互いに接触はしておらず、当該２つの要素間に別のある要素または別の複数の要素を有し得ることを意味してよい。さらに、「および／または（ａｎｄ／ｏｒ）」という用語は、「および（ａｎｄ）」を意味してよく、「または（ｏｒ）」を意味してよく、「排他的論理和」を意味してよく、「１つ」を意味してよく、「全部ではない一部」を意味してよく、「いずれでもない」を意味してよく、および／または「両方」を意味してよいが、特許請求された対象の範囲は、この点においては限定されない。以下の詳細な説明および／または特許請求の範囲において、「備える（ｃｏｍｐｒｉｓｅ）」および「含む（ｉｎｃｌｕｄｅ）」という用語と共にそれらの派生語が使用されることがあるが、それらは互いに同義語であることを意図する。
【００１３】
ここで図１を参照して、１または複数の実施形態による、スケジューリング要求の送信におけるレイテンシの低減を示すネットワークの図について説明することにする。図１に示される通り、１または複数の実施形態において、ネットワーク１００は、第３世代パートナシッププロジェクト（３ＧＰＰ）ロングタームエボリューション（ＬＴＥ）規格またはロングタームエボリューションアドバンスト（ＬＴＥ‐Ａ）に従い動作してよいが、特許請求された主題の範囲は、この点においては限定されない。ＵＥ１１０は、処理１１４およびＵＬグラント処理１１６後の処理１１８において、ＳＲおよびＢＳＲを異なるサブフレーム内で送信する代わりに、手順１２４において、ＳＲおよびＢＳＲを組み合わせることによって、同一サブフレーム内でＳＲおよびＢＳＲを共に送信してよく、その結果、組み合わされたＳＲおよびＢＳＲは、同一サブフレームにおける単一の処理で送信されてよい。１または複数の実施形態において、組み合わされたＳＲおよびＢＳＲは、ＬＴＥの非競合ベースのＳＲ送信フレームワークに基づいて共に送信されてよく、その結果、ＢＳＲ送信およびその対応するアップリンクグラント手順のレイテンシが低減されてよい。このような構成においては、ｅＮＢ１１２は、手順１２４において組み合わされる、組み合わされたＳＲおよびＢＳＲ処理の受信後、ＵＬグラント手順１２０において、ＵＥ１１０が手順１２２においてＵＬデータを送信可能にすべく、ＵＬリソースをスケジューリングしてよい。例えば、組み合わされたＳＲおよびＢＳＲメッセージは、ＰＵＣＣＨフォーマット１またはＰＵＣＣＨフォーマット２に基づいて送信されてよいが、特許請求された主題の範囲は、これらの点において限定はされない。
【００１４】
１または複数の実施形態において、ＳＲおよびＢＳＲを単一のメッセージ内に組み合わせることにより、特にＵＥ１１０がショートデータバッファを有する場合、手順１１６および手順１１８をなくすことで、ＵＥ１１０のアップリンクデータ送信のレイテンシを低減してよい。組み合わされたＳＲおよびＢＳＲメッセージの送信は、ＰＵＣＣＨでの非競合態様に基づいてよく、この場合、ＵＥ１１０は、ＳＲ送信サブフレーム周期と、ＵＥ１１０がそのＳＲを送信するためのサブフレーム数を定義するオフセット用に構成されてよい。ｅＮｏｄｅＢ１１０は、同一サブフレームにおけるこの組み合わされたＳＲおよびＢＳＲ送信を検出し、アップリンクリソースがＵＥ１１０に必要かどうかをチェックしてよい。一実施形態において、ＢＳＲは、３ＧＰＰ技術標準（ＴＳ）３６．３２１に定義されるような８ビットメッセージを含んでよく、ＳＲは１ビットトリガであってよいが、特許請求された主題の範囲は、これらの点において限定されない。ＳＲおよびＢＳＲを同一サブフレーム内で送信するための第１のアプローチが、以下に図２を参照して示され、記載される。
【００１５】
ここで図２を参照して、１または複数の実施形態による、スケジューリング要求およびバッファステータスレポートが１サブフレーム内で共に送信される図１のネットワークの図について説明することにする。一実施形態において、ＵＥ１１０のスケジューリング要求（ＳＲ）は、周期的なチャネル状態情報（ＣＳＩ）フィードバックと同一のＰＵＣＣＨリソースで、ＰＵＣＣＨフォーマット２の態様で送信するように構成されてよい。バッファステータスレポート（ＢＳＲ）ビットは、ＰＵＣＣＨフォーマット２に基づいて送信されてよい。構成されたＳＲサブフレームは、周期的なＣＳＩフィードバックサブフレームとは異なってよい。ＵＥ１１０は、ＳＲ送信および周期的なＣＳＩフィードバックが同一サブフレーム内で送信されるとき、その周期的なＣＳＩをフィードバックしてよい。
【００１６】
いくつかの実施形態において、信号生成は、３ＧＰＰ  ＴＳ３６．２１１の節５．４．２に記載されるものと同一であってよく、入力ビットｂ（０），ｂ（１），...，ｂ（Ｎ−１）は、ＢＳＲメッセージであってよく、Ｎはメッセージビット数であり、当該メッセージビット数は、一例として８であってよい。このような実施形態においては、組み合わされたＳＲおよびＢＳＲを送信するための手順は、図２中に図示される通りであってよい。組み合わされたＳＲおよびＢＳＲメッセージは、手順２１０において、ＵＥ１１０からｅＮＢ１１２へ送信されてよい。ｅＮＢ１１２が、組み合わされたＳＲおよびＢＳＲメッセージを正確にデコーディングすると、ｅＮＢ１１２は、手順２１２におけるアップリンクグラントにおいて、手順２１４におけるＵＥ１１０からの次のアップリンクデータ送信のための妥当なリソースを割り当ててよい。ＳＲおよびＢＳＲを同一サブフレーム内で送信するための代替的なアプローチが、以下に図３を参照して、示され、記載される。
【００１７】
ここで図３を参照して、１または複数の実施形態による、スケジューリング要求およびバッファステータスレポートグループインジケータが１サブフレーム内で共に送信される図１のネットワークの図について説明することにする。別の実施形態においては、ＵＥ１１０がロングバッファまたは複数の論理チャネルグループ（ＬＣＧ）を有する場合、ＢＳＲはＳＲと共に送信されてよいが、アップリンクパッケージ送信は、単一のサブフレーム内で完了しなくてよい。このようなユーザについては、ＳＲに関連付けられた正確なＢＳＲ値は、送信される必要はない。ＵＥ１１０が、ショートバッファを有し、アップリンクパッケージ送信が単一のサブフレーム内で完了可能な場合、データが単一のラウンドトリップ内で送信され得るように、および送信レイテンシが低減され得るように、十分なリソースブロック（ＲＢ）がスケジューリングされてよい。結果、次のようになる。従って、正確なＢＳＲを送信する代わりに、ＢＳＲグループインジケータ（ＢＳＲＧＩ）は、ロングＢＳＲまたはショートＢＳＲがＵＥ１１０に存在するかどうかを示すことで十分であってよい。
【００１８】
このような構成においては、ＢＳＲは、Ｍ個のグループに分割されてよく、ここで、Ｍは、例えば、２、３、または４等であってよい。ＢＳＲＧＩは、現在のＢＳＲが、どのＢＳＲグループに属するかを示すために使用されてよく、ＢＳＲＧＩの値は、ＢＳＲグループ閾値によって決定されてよい。ＢＳＲグループ閾値は、ＵＥ１１０の電源制御ファクタ、アップリンクＣＳＩ等に依存してよい。ＢＳＲグループ閾値は、ｅＮＢ１１２によって、上位レイヤメッセージを介して構成されてよく、ＢＳＲグループ閾値は、セル固有またはＵＥ固有であってよい。例えば、ＢＳＲは、２つのグループに分割されてよく、グループ閾値はＴに設定されてよい。ＢＳＲＧＩの値がゼロ（０）の場合、ＢＳＲＧＩの当該値は、ＵＥ１１０の現在のバッファ長がＫ未満であることを示す。Ｋは、その値がＴに等しいＢＳＲの最大バッファサイズである。さもなければ、ＵＥ１１０のバッファ長は、Ｋを超える。
【００１９】
１または複数の実施形態において、ＢＳＲＧＩは、ＰＵＣＣＨフォーマット１またはＰＵＣＣＨフォーマット２に基づいて送信されてよい。ＰＵＣＣＨフォーマット１に関し、ＰＵＣＣＨ信号生成は、３ＧＰＰ  ＴＳ３６．２１１の５．４．１に基づいてよく、その復調参照信号（ＤＭＲＳ）生成は、３ＧＰＰ  ＴＳ３６．２１１の節５．５．２．２に基づいてよい。いくつかの実施形態において、フォーマット１ｂは、確認応答または否定応答（ＡＣＫ／ＮＡＣＫ）送信と関連付けられたＳＲ送信に用いられてよい。入力ビットｂ（０）またはｂ（１）のうちの一方が、ＡＣＫ／ＮＡＣＫ状態を示してよく、当該入力ビットの他方が、ＢＳＲＧＩを示してよい。ＵＥ１１０が２つのコードワードＡＣＫ／ＮＡＣＫフィードバックを有する場合において、ＳＲ送信との衝突があるときは、ＡＣＫ／ＮＡＣＫバンドルが用いられ、２つのＡＣＫ／ＮＡＣＫビットを単一のビットに圧縮してよい。以下の表１は、シンボル生成方法の一例を示す。
【表１】
2018520529.tif 000003
【００２０】
代替的な実施形態において、４ビットの送信をサポートするＰＵＣＣＨフォーマット１Ｃが用いられてよい。当該入力ビットのうちの２つが、ＡＣＫ／ＮＡＣＫ状態を示してよく、残りの２つのビットが、ＢＳＲＧＩを示してよい。このような実施形態においては、シンボル生成方法の一例は、シンボル生成に用いられてよい１６直交振幅変調（ＱＡＭ）であってよいが、特許請求された主題の範囲は、この点においては限定されない。
【００２１】
ＰＵＣＣＨフォーマット２が用いられる実施形態においては、ＰＵＣＣＨ信号生成は、３ＧＰＰ  ＴＳ  ３６．２１１の節５．４．１に記載されたものと同一であってよいが、ＢＳＲＧＩは、フィードバックＣＳＩと共に送信されてよい。例えば、ＢＳＲＧＩのビットが、ＣＳＩのビットの末尾に追加されてよい。このような例においては、２つの末尾ビットが用いられてよく、以下の表２に示される割り当てとなる。
【表２】
2018520529.tif 000004
【００２２】
この手順の例が、図３に示されており、そこでは、組み合わされたＳＲおよびＢＳＲＧＩが手順３１０において送信され、アップリンクリソースが、手順３１２においてスケジューリングされてよく、アップリンクデータが、手順３１４において送信されてよい。手順３１４において、パディングが必要な場合は、ＵＥ１１０は、ＢＳＲを送信しない。その後、ｅＮＢ１１２は、手順３１４のメッセージをデコーディングした後、ＢＳＲが受信されない場合は、ＵＥ１１０をそのアップリンク送信バッファ内に追加のデータを有していないものと認識してよい。さもなければ、ｅＮＢ１１２は、ＵＥ１１０をアップリンクデータペンディング送信を有するものとしてみなしてよく、次のスケジュール時において、ＵＥ１１０は、その正確なＢＳＲを送信してよい。
【００２３】
ここで図４を参照して、１または複数の実施形態による、スケジューリング要求の送信におけるレイテンシ低減が可能な情報処理システムのブロック図について説明することにする。図４の情報処理システム４００は、本明細書の上記のネットワーク要素のうちの任意の１または複数を具体的に具現化したものであってよく、例えば、特定のデバイスのハードウェア仕様に応じ、より多いまたはより少ない数のコンポーネントを備えたネットワーク１００の要素が含まれる。一実施形態において、情報処理システム４００は、物理アップリンク制御チャネル（ＰＵＣＣＨ）に基づいてスケジューリング要求（ＳＲ）送信を構成し、当該スケジューリング要求をバッファステータスレポート（ＢＳＲ）と組み合わせ、当該組み合わされたＳＲおよびＢＳＲを単一のサブフレーム内でネットワークエンティティに送信し、当該組み合わされたＳＲおよびＢＳＲに応答する当該ネットワークエンティティからアップリンクリソーススケジューリングを受信し、且つ当該アップリンクリソーススケジューリングに従い、アップリンクデータを当該ネットワークエンティティに送信するための回路を備えるユーザ機器（ＵＥ）の装置を具体的に具現化してよい。別の実施形態においては、情報処理システム４００は、物理アップリンク制御チャネル（ＰＵＣＣＨ）に基づいてスケジューリング要求（ＳＲ）送信を構成し、当該スケジューリング要求をバッファステータスレポートグループインジケータ（ＢＳＲＧＩ）と組み合わせ、当該組み合わされたＳＲおよびＢＳＲＧＩを単一のサブフレーム内でネットワークエンティティに送信し、当該組み合わされたＳＲおよびＢＳＲＧＩに応答する当該ネットワークエンティティからアップリンクリソーススケジューリングを受信し、且つ当該アップリンクリソーススケジューリングに従い、アップリンクデータを当該ネットワークエンティティに送信するための回路を備えるユーザ機器（ＵＥ）の装置を具体的に具現化してよい。情報処理システム４００は、いくつかのタイプのコンピューティングプラットフォームのうちの一例を表わすものの、情報処理システム４００は、図４に示されるものより多いまたは少ない数の要素および／または図４に示されるものとは異なる構成の要素を含んでよく、特許請求された主題の範囲は、これらの点において限定されない。
【００２４】
１または複数の実施形態において、情報処理システム４００は、アプリケーションプロセッサ４１０およびベースバンドプロセッサ４１２を含んでよい。アプリケーションプロセッサ４１０は、情報処理システム４００のアプリケーションおよび様々なサブシステムを実行するための汎用プロセッサとして用いられてよい。アプリケーションプロセッサ４１０は、シングルコアを含んでよく、または代替的に、複数の処理コアを含んでもよい。当該コアの１または複数は、デジタルシグナルプロセッサまたはデジタル信号処理（ＤＳＰ）コアを備えてよい。さらに、アプリケーションプロセッサ４１０は、同一チップ上に配置されたグラフィックプロセッサまたはコプロセッサを含んでよく、または代替的に、アプリケーションプロセッサ４１０に連結されたグラフィックプロセッサが別個独立のグラフィックチップを備えてよい。アプリケーションプロセッサ４１０は、キャッシュメモリ等のオンボードメモリを含んでよく、さらに、アプリケーションプロセッサ４１０は、外部メモリデバイスに連結されてよい。このようなデバイスとしては、処理中に、アプリケーションを格納および／または実行するためのシンクロナスダイナミックランダムアクセスメモリ（ＳＤＲＡＭ）４１４、および情報処理システム４００が電源オフの場合であっても、アプリケーションおよび／またはデータを格納するためのＮＡＮＤフラッシュ４１６等が挙げられる。１または複数の実施形態において、情報処理システム４００および／またはそのコンポーネント若しくはサブシステムのうちの任意のものを本明細書に記載の態様で動作させるための、および／または動作するように構成するための命令が、非一時記録媒体を備える製品上に格納されてよい。１または複数の実施形態において、記録媒体は、本明細書に示され、記載されたメモリデバイスのうちの任意のものを備えてよいが、特許請求された主題の範囲は、この点においては限定されない。ベースバンドプロセッサ４１２は、情報処理システム４００のブロードバンド無線機能を制御してよい。ベースバンドプロセッサ４１２は、このようなブロードバンド無線機能を制御するためのコードをＮＯＲフラッシュ４１８内に格納してよい。ベースバンドプロセッサ４１２は、例えば、３ＧＰＰ  ＬＴＥまたはＬＴＥ‐アドバンストネットワーク等を介して通信するために、ブロードバンドネットワーク信号を変調および／または復調するために使用される無線ワイドエリアネットワーク（ＷＷＡＮ）送受信機４２０を制御する。
【００２５】
一般的に、ＷＷＡＮ送受信機４２０は、限定はされないが、以下の無線通信技術および／または規格、すなわちグローバルシステムフォーモバイルコミュニケーション（ＧＳＭ（登録商標））無線通信技術、汎用パケット無線サービス（ＧＰＲＳ）無線通信技術、ＧＳＭ（登録商標）進化型高速データレート（ＥＤＧＥ）無線通信技術および／または第３世代パートナシッププロジェクト（３ＧＰＰ）無線通信技術を含む任意の１または複数に従い動作してよい。これらとしては、例えば、ユニバーサルモバイルテレコミュニケーションシステム（ＵＭＴＳ）、ＦＯＭＡ（Ｆｒｅｅｄｏｍ  ｏｆ  Ｍｕｌｔｉｍｅｄｉａ  Ａｃｃｅｓｓ）、３ＧＰＰロングタームエボリューション（ＬＴＥ）、３ＧＰＰロングタームエボリューションアドバンスト（ＬＴＥアドバンスト）、符号分割多元接続２０００（ＣＤＭＡ２０００）、セルラデジタルパケットデータ（ＣＤＰＤ）、モビテックス、第３世代（３Ｇ）、回線交換データ（ＣＳＤ）、高速回線交換データ（ＨＳＣＳＤ）、ユニバーサルモバイルテレコミュニケーションシステム（第３世代）（ＵＭＴＳ（３Ｇ））、広帯域符号分割多元接続（ユニバーサルモバイルテレコミュニケーションシステム）（Ｗ‐ＣＤＭＡ（ＵＭＴＳ））、高速パケットアクセス（ＨＳＰＡ）、高速ダウンリンクパケットアクセス（ＨＳＤＰＡ）、高速アップリンクパケットアクセス（ＨＳＵＰＡ）、高速パケットアクセスプラス（ＨＳＰＡ＋）、ユニバーサルモバイルテレコミュニケーションシステム時分割複信（ＵＭＴＳ‐ＴＤＤ）、時分割‐符号分割多元接続（ＴＤ‐ＣＤＭＡ）、時分割‐同期符号分割多元接続（ＴＤ‐ＣＤＭＡ）、第３世代パートナーシッププロジェクトリリース８（プレ第４世代）（３ＧＰＰリリース８（プレ４Ｇ））、３ＧＰＰリリース９（第３世代パートナーシッププロジェクトリリース９）、３ＧＰＰリリース１０（第３世代パートナーシッププロジェクトリリース１０）、３ＧＰＰリリース１１（第３世代パートナーシッププロジェクトリリース１１）、３ＧＰＰリリース１２（第３世代パートナーシッププロジェクトリリース１２）、３ＧＰＰリリース１３（第３世代パートナーシッププロジェクトリリース１３）、３ＧＰＰリリース１４（第３世代パートナーシッププロジェクトリリース１４）、３ＧＰＰ  ＬＴＥエクストラ、ＬＴＥライセンスドアシステッドアクセス（ＬＡＡ）、ＵＭＴＳ地上波無線アクセス（ＵＴＲＡ）、進化型ＵＭＴＳ地上波無線アクセス（Ｅ‐ＵＴＲＡ）、ロングタームエボリューションアドバンスト（第４世代）（ＬＴＥアドバンスト（４Ｇ））、ｃｄｍａＯｎｅ（２Ｇ）、符号分割多元接続２０００（第３世代）（ＣＤＭＡ２０００（３Ｇ））、進化型データ最適化または進化型データオンリ（ＥＶ‐ＤＯ）、先進携帯電話システム（第１世代）（ＡＭＰＳ（１Ｇ））、トータルアクセス通信システム／拡張トータルアクセス通信システム（ＴＡＣＳ／ＥＴＡＣＳ）、デジタルＡＭＰＳ（第２世代）（Ｄ‐ＡＭＰＳ（２Ｇ））、プッシュツートーク（ＰＴＴ）、モバイルテレフォンシステム（ＭＴＳ）、改良モバイルテレフォンシステム（ＩＭＴＳ）、アドバンストモバイルテレフォンシステム（ＡＭＴＳ）、ＯＬＴ（ノルウェイ語でＯ���ｆｅｎｔｌｉｇ  Ｌａｎｄｍｏｂｉｌ  Ｔｅｌｅｆｏｎｉ、地上波公共移動電話）、ＭＴＤ（スウェーデン語のＭｏｂｉｌｔｅｌｅｆｏｎｉｓｙｓｔｅｍ  Ｄの略語、すなわちモバイル電話システムＤ）、公共自動地上モバイル（Ａｕｔｏｔｅｌ／ＰＡＬＭ）、ＡＲＰ（フィンランド語でＡｕｔｏｒａｄｉｏｐｕｈｅｌｉｎ、「自動車無線」）、ＮＭＴ（Ｎｏｒｄｉｃ  Ｍｏｂｉｌｅ  Ｔｅｌｅｐｈｏｎｙ）、ＮＴＴ（Ｎｉｐｐｏｎ  Ｔｅｌｅｇｒａｐｈ  ａｎｄ  Ｔｅｌｅｐｈｏｎｅ）の大容量方式（Ｈｉｃａｐ）、セルラデジタルパケットデータ（ＣＤＰＤ）、モビテックス、ＤａｔａＴＡＣ、統合デジタル拡張ネットワーク（ｉＤＥＮ）、パーソナルデジタルセルラ（ＰＤＣ）、回線交換データ（ＣＳＤ）、パーソナルハンディフォンシステム（ＰＨＳ）、広帯域統合デジタル拡張ネットワーク（ＷｉＤＥＮ）、ｉＢｕｒｓｔ、３ＧＰＰジェネリックアクセスネットワーク、すなわちＧＡＮ規格とも称されるアンライセンスドモバイルアクセス（ＵＭＡ）、Ｚｉｇｂｅｅ（登録商標）、Ｂｌｕｅｔｏｏｔｈ（登録商標）、ワイヤレスギガビットアライアンス（ＷｉＧｉｇ）規格、概してＷｉＧｉｇ、ＩＥＥＥ８０２．１１ａｄ、ＩＥＥＥ８０２．１１ａｙ等の１０〜９０ＧＨｚ以上で動作する無線システムのためのミリ波（ｍｍＷａｖｅ）規格、および／または一般的なテレメトリトランシーバ、および概して任意のタイプのＲＦ回路またはＲＦＩ高感度回路が挙げられる。このような規格は、経時的に進化してよく、および／または新しい規格が公表されてよいことに留意されたく、特許請求された主題の範囲は、この点においては限定されない。
【００２６】
ＷＷＡＮ送受信機４２０は、ＷＷＡＮブロードバンドネットワークを介して無線周波数信号を送信および受信するための１または複数のアンテナ４２４にそれぞれ連結された１または複数のパワーアンプ４２２に連結される。また、ベースバンドプロセッサ４１２は、１または複数の好適なアンテナ４２８に連結された無線ローカルエリアネットワーク（ＷＬＡＮ）送受信機４２６を制御してよく、当該アンテナ４２８はまた、Ｗｉ‐Ｆｉ（登録商標）、Ｂｌｕｅｔｏｏｔｈ（登録商標）、および／またはＩＥＥＥ８０２．１１ａ／ｂ／ｇ／ｎ規格等を含む、振幅変調（ＡＭ）または周波数変調（ＦＭ）無線規格を介して通信可能であってよい。これらは単に、アプリケーションプロセッサ４１０およびベースバンドプロセッサ４１２の例示的な実装に過ぎず、特許請求された主題の範囲はこれらの点において限定されないことに留意されたい。例えば、ＳＤＲＡＭ４１４、ＮＡＮＤフラッシュ４１６および／またはＮＯＲフラッシュ４１８のうちの任意の１または複数が、磁気メモリ、カルコゲナイドメモリ、相変化メモリ、またはオボニックメモリ等の他のタイプのメモリ技術を含んでよく、特許請求された主題の範囲はこの点においては限定されない。
【００２７】
１または複数の実施形態において、アプリケーションプロセッサ４１０は、様々な情報またはデータを表示するためのディスプレイ４３０を駆動してよく、さらに、アプリケーションプロセッサ４１０は、例えば、指またはスタイラスを介し、タッチスクリーン４３２を通してユーザからタッチ入力を受信してよい。環境光センサ４３４を用いて、情報処理システム４００が稼働している周囲の環境光の量を検出してよく、例えば、環境光センサ４３４によって検出された環境光の強度の関数として、ディスプレイ４３０の輝度またはコントラストの値を制御する。１または複数のカメラ４３６を用いて、イメージをキャプチャしてよく、当該イメージは、アプリケーションプロセッサ４１０によって処理され、および／またはＮＡＮＤフラッシュ４１６内に少なくとも一時的に格納される。さらに、アプリケーションプロセッサは、情報処理システム４００の位置、動き、および／または向きを含む様々な環境特性を検出するために、ジャイロスコープ４３８、加速度計４４０、磁力計４４２、オーディオコーダ／デコーダ（ＣＯＤＥＣ）４４４、および／または適切なＧＰＳアンテナ４４８に連結された全地球測位システム（ＧＰＳ）コントローラ４４６に連結されてよい。代替的に、コントローラ４４６は、全地球的航法衛星システム（ＧＮＳＳ）コントローラを備えてよい。オーディオＣＯＤＥＣ４４４は、内部デバイスを介して、および／または、例えばヘッドフォンおよびマイクロフォンジャック等のオーディオポート４５０を介して情報処理システムに連結された外部デバイスのいずれかを介して、マイク入力およびスピーカ出力を供給すべく、１または複数のオーディオポート４５０に連結されてよい。また、アプリケーションプロセッサ４１０は、ユニバーサルシリアルバス（ＵＳＢ）ポート、高精細度マルチメディアインタフェース（ＨＤＭＩ（登録商標））ポート、シリアルポート等の１または複数のＩ／Ｏポート４５４に連結された１または複数の入／出力（Ｉ／Ｏ）送受信機４５２に連結されてよい。さらに、Ｉ／Ｏ送受信機４５２のうちの１または複数は、セキュアデジタル（ＳＤ）カードまたは加入者識別モジュール（ＳＩＭ）カード等のオプションのリムーバブルメモリ用の１または複数のメモリスロット４５６に連結されてよいが、特許請求された主題の範囲は、これらの点においては限定されない。
【００２８】
ここで図５を参照して、１または複数の実施形態による、随意でタッチスクリーンを含んでよい図４の情報処理システムの等角投影図について説明する。図５は、携帯電話、スマートフォン、またはタブレットタイプのデバイス等として具体的に実装された、図４の情報処理システム４００の例示的な実装を示す。情報処理システム４００は、ディスプレイ４３０を有するハウジング５１０を備えてよく、当該ディスプレイ４３０は、１または複数のアプリケーションプロセッサ４１０を制御するための触覚入力制御とコマンドを、ユーザの指５１６を介して、および／または、スタイラス５１８を介して、受信するためのタッチスクリーン４３２を含んでよい。ハウジング５１０は、例えば、１または複数のアプリケーションプロセッサ４１０、ＳＤＲＡＭ４１４、ＮＡＮＤフラッシュ４１６、ＮＯＲフラッシュ４１８、ベースバンドプロセッサ４１２、および／またはＷＷＡＮ送受信機４２０のうちの１または複数といった情報処理システム４００の１または複数のコンポーネントを収容してよい。さらに、情報処理システム４００は随意で、１または複数のボタンまたはスイッチを介して情報処理システムを制御するためのキーボードまたはボタンを備えてよい物理的アクチュエータ領域５２０を含んでよい。また、情報処理システム４００は、例えば、セキュアデジタル（ＳＤ）カードまたは加入者識別モジュール（ＳＩＭ）カードの形態のフラッシュメモリ等の不揮発性メモリを収容するためのメモリポートまたはスロット４５６を含んでよい。随意に、情報処理システム４００は、さらに、１または複数のスピーカおよび／またはマイク５２４並びに情報処理システム４００を別の電子デバイス、ドック、ディスプレイ、充電器等に接続するための接続ポート４５４を含んでよい。また、情報処理システム４００は、ハウジング５１０の１または複数の側部に、ヘッドフォンまたはスピーカジャック５２８および１または複数のカメラ４３６を含んでよい。図５の情報処理システム４００は、図示されたものより多いまたは少ない要素を様々な配置において含んでよく、特許請求された主題の範囲は、この点においては限定されないに留意されたい。
【００２９】
本明細書で使用される「回路（ｃｉｒｃｕｉｔ）」または「回路（ｃｉｒｃｕｉｔｒｙ）」という用語は、１または複数のソフトウェアまたはファームウェアプログラムを実行する特定用途向け集積回路（ＡＳＩＣ）、電子回路、プロセッサ（共有、専用、またはグループ）、および／またはメモリ（共有、専用、またはグループ）、組み合わせロジック回路、並びに／または説明された機能を提供するその他の好適なハードウェアコンポーネントを指してよく、それらの一部であってよく、またはそれらを含んでよい。いくつかの実施形態において、回路は、１または複数のソフトウェアまたはファームウェアモジュール内に実装されてよく、または回路に関連する諸機能は、１または複数のソフトウェアまたはファームウェアモジュールによって実装されてよい。いくつかの実施形態において、回路は、少なくとも部分的にハードウェアで動作可能なロジックを含んでよい。本明細書で説明された実施形態は、任意の好適に構成されたハードウェアおよび／またはソフトウェアを使用してシステムに実装されてよい。
【００３０】
ここで図６を参照して、１または複数の実施形態による、ユーザ機器（ＵＥ）デバイス１１０等の無線デバイスの例示的なコンポーネントについて説明することにする。ユーザ機器（ＵＥ）は、例えば、ネットワーク１００のＵＥ１１０に、または代替的にネットワーク１００のｅＮＢ１１２に対応してよいが、特許請求された主題の範囲は、この点においては限定されない。いくつかの実施形態において、ＵＥデバイス６００は、少なくとも図示の通り共に連結されたアプリケーション回路６０２、ベースバンド回路６０４、無線周波数（ＲＦ）回路６０６、フロントエンドモジュール（ＦＥＭ）回路６０８および１または複数のアンテナ６１０を含んでよい。
【００３１】
アプリケーション回路６０２は、１または複数のアプリケーションプロセッサを含んでよい。例えば、アプリケーション回路６０２は、限定はされないが、１または複数のシングルコアプロセッサまたはマルチコアプロセッサ等の回路を含んでよい。１または複数のプロセッサは、例えば、グラフィックプロセッサ、アプリケーションプロセッサ等の汎用プロセッサおよび専用プロセッサに係る任意の組み合わせを含んでよい。プロセッサは、メモリおよび／またはストレージに連結されてよく、並びに／またはメモリおよび／またはストレージを含んでよく、およびプロセッサは、様々なアプリケーションおよび／またはオペレーティングシステムがシステム上で実行できるようにするためのメモリおよび／またはストレージ内に格納された命令を実行するように構成されてよい。
【００３２】
ベースバンド回路６０４は、限定はされないが、１または複数のシングルコアプロセッサまたはマルチコアプロセッサ等の回路を含んでよい。ベースバンド回路６０４は、ＲＦ回路６０６の受信信号パスから受信されるベースバンド信号を処理し、ＲＦ回路６０６の送信信号パスのためのベースバンド信号を生成するための１または複数のベースバンドプロセッサおよび／または制御ロジックを含んでよい。ベースバンド処理回路６０４は、ベースバンド信号の生成および処理のために、並びにＲＦ回路６０６の動作を制御するために、アプリケーション回路６０２とやり取りしてよい。例えば、いくつかの実施形態において、ベースバンド回路６０４は、第２世代（２Ｇ）ベースバンドプロセッサ６０４ａ、第３世代（３Ｇ）ベースバンドプロセッサ６０４ｂ、第４世代（４Ｇ）ベースバンドプロセッサ６０４ｃ、および／または他の既存世代、開発中の若しくは将来開発されるべき世代、例えば、第５世代（５Ｇ）、第６世代（６Ｇ）等の１または複数の他のベースバンドプロセッサ６０４ｄを含んでよい。ベースバンド回路６０４、例えば、ベースバンドプロセッサ６０４ａ〜６０４ｄのうちの１または複数は、ＲＦ回路６０６を介して、１または複数の無線ネットワークとの通信を可能にする様々な無線制御機能を処理してよい。無線制御機能としては、限定はされないが、信号変調および／または復調、エンコーディングおよび／またはデコーディング、無線周波数偏移等が含まれてよい。いくつかの実施形態において、ベースバンド回路６０４の変調および／または復調回路は、高速フーリエ変換（ＦＦＴ）、プリコーディング、並びに／またはコンステレーションマッピングおよび／またはマッピング解除機能を含んでよい。いくつかの実施形態において、ベースバンド回路８０４のエンコーディングおよび／またはデコーディング回路は、コンボリューション、テールバイティングコンボリューション、ターボ、ビタビ、および／または低密度パリティチェック（ＬＤＰＣ）エンコーダおよび／またはデコーダ機能を含んでよい。変調および／または復調並びにエンコーダおよび／またはデコーダ機能の実施形態はこれらの例に限定されず、他の実施形態においては、他の好適な機能を含んでよい。
【００３３】
いくつかの実施形態において、ベースバンド回路６０４は、例えば、進化型ユニバーサル地上波無線アクセスネットワーク（ＥＵＴＲＡＮ）プロトコルの要素といったプロトコルスタックの要素を含んでよく、それらには例えば、物理（ＰＨＹ）、媒体アクセス制御（ＭＡＣ）、無線リンク制御（ＲＬＣ）、パケットデータ収束プロトコル（ＰＤＣＰ）および／または無線リソース制御（ＲＲＣ）要素が含まれる。ベースバンド回路６０４のプロセッサ６０４ｅは、ＰＨＹ、ＭＡＣ、ＲＬＣ、ＰＤＣＰおよび／またはＲＲＣレイヤのシグナリングのためのプロトコルスタックの要素を実行するように構成されてよい。いくつかの実施形態において、ベースバンド回路は、１または複数のオーディオデジタル信号プロセッサ（ＤＳＰ）６０４ｆを含んでよい。１または複数のオーディオＤＳＰ  ６０４ｆは、圧縮および／または圧縮解除および／またはエコーキャンセルのための要素を含んでよく、他の実施形態においては、他の好適な処理要素を含んでよい。ベースバンド回路の複数のコンポーネントは、単一のチップ、単一のチップセット内で好適に組み合わされてよく、あるいは、いくつかの実施形態においては、同一回路基板上に配置されてよい。いくつかの実施形態において、ベースバンド回路６０４およびアプリケーション回路６０２の構成コンポーネントのうちの一部または全部が、例えばシステムオンチップ（ＳＯＣ）等の上に一緒に実装されてよい。
【００３４】
いくつかの実施形態において、ベースバンド回路６０４は、１または複数の無線技術と互換性のある通信を提供してよい。例えば、いくつかの実施形態において、ベースバンド回路６０４は、進化型ユニバーサル地上波無線アクセスネットワーク（ＥＵＴＲＡＮ）および／またはその他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートしてよい。ベースバンド回路６０４が、２つ以上の無線プロトコルの無線通信をサポートするように構成されている実施形態は、マルチモードベースバンド回路と称されてよい。
【００３５】
ＲＦ回路６０６は、非固体媒体を介して変調された電磁放射を使用する無線ネットワークとの通信を有効にしてよい。様々な実施形態において、ＲＦ回路６０６は、無線ネットワークとの通信を容易にするためのスイッチ、フィルタ、増幅器等を含んでよい。ＲＦ回路６０６は、受信信号パスを含んでよく、受信信号パスは、ＦＥＭ回路６０８から受信されたＲＦ信号をダウンコンバートし、ベースバンド回路６０４にベースバンド信号を提供するための回路を含んでよい。また、ＲＦ回路６０６は、送信信号パスも含んでよく、送信信号パスは、ベースバンド回路１００４によって提供されたベースバンド信号をアップコンバートし、ＲＦ出力信号を送信のためにＦＥＭ回路１００８に提供するための回路を含んでよい。
【００３６】
いくつかの実施形態において、ＲＦ回路６０６は、受信信号パスおよび送信信号パスを含んでよい。ＲＦ回路６０６の受信信号パスは、ミキサ回路６０６ａ、増幅回路６０６ｂ、およびフィルタ回路６０６ｃを含んでよい。ＲＦ回路６０６の送信信号パスは、フィルタ回路６０６ｃおよびミキサ回路６０６ａを含んでよい。また、ＲＦ回路６０６は、受信信号パスおよび送信信号パスのミキサ回路６０６ａによる使用のために周波数を合成するシンセサイザ回路６０６ｄも含んでよい。いくつかの実施形態において、受信信号パスのミキサ回路６０６ａは、シンセサイザ回路６０６ｄによって提供される合成された周波数に基づいて、ＦＥＭ回路６０８から受信されたＲＦ信号をダウンコンバートするように構成されてよい。増幅回路６０６ｂは、ダウンコンバートされた信号を増幅するように構成されてよく、フィルタ回路６０６ｃは、ダウンコンバートされた信号から不要な信号を除去して、出力ベースバンド信号を生成するように構成されたローパスフィルタ（ＬＰＦ）またはバンドパスフィルタ（ＢＰＦ）であってよい。出力ベースバンド信号は、さらなる処理のためにベースバンド回路６０４に提供されてよい。いくつかの実施形態において、出力ベースバンド信号は、ゼロ周波数のベースバンド信号であってよいが、これは要件ではない。いくつかの実施形態において、受信信号パスのミキサ回路６０６ａは、パッシブミキサを含んでよいが、本実施形態の範囲は、この点においては限定されない。
【００３７】
いくつかの実施形態において、送信信号パスのミキサ回路６０６ａは、シンセサイザ回路６０６ｄによって提供される合成された周波数に基づいて、入力ベースバンド信号をアップコンバートして、ＦＥＭ回路６０８のためのＲＦ出力信号を生成するように構成されてよい。ベースバンド信号は、ベースバンド回路６０４によって提供されてよく、フィルタ回路６０６ｃによってフィルタリングされてよい。フィルタ回路６０６ｃは、ローパスフィルタ（ＬＰＦ）を含んでよいが、本実施形態の範囲は、この点においては限定されない。
【００３８】
いくつかの実施形態において、受信信号パスのミキサ回路６０６ａおよび送信信号パスのミキサ回路６０６ａは、２または２より多いミキサを含んでよく、それぞれ直交ダウンコンバージョンおよび／または直交アップコンバージョン用に構成されてよい。いくつかの実施形態において、受信信号パスのミキサ回路６０６ａおよび送信信号パスのミキサ回路６０６ａは、２または２より多いミキサを含んでよく、イメージ除去、例えば、ハートレーイメージ除去用に構成されてよい。いくつかの実施形態において、受信信号パスのミキサ回路６０６ａおよび送信信号パスのミキサ回路６０６ａは、それぞれダイレクトダウンコンバージョンおよび／またはダイレクトアップコンバージョン用に構成されてよい。いくつかの実施形態において、受信信号パスのミキサ回路６０６ａおよび送信信号パスのミキサ回路６０６ａは、スーパーヘテロダイン操作用に構成されてよい。
【００３９】
いくつかの実施形態において、出力ベースバンド信号および入力ベースバンド信号は、アナログベースバンド信号であってよいが、本実施形態の範囲は、この点においては限定されない。いくつかの代替的な実施形態においては、出力ベースバンド信号および入力ベースバンド信号は、デジタルベースバンド信号であってよい。これらの代替的な実施形態においては、ＲＦ回路１００６は、アナログ‐デジタルコンバータ（ＡＤＣ）およびデジタル‐アナログコンバータ（ＤＡＣ）回路を含んでよく、ベースバンド回路６０４は、ＲＦ回路６０６と通信するためのデジタルベースバンドインタフェースを含んでよい。いくつかのデュアルモードの実施形態においては、１または複数のスペクトルの信号を処理するために、別個の無線集積回路（ＩＣ）回路が設けられてよいが、本実施形態の範囲は、この点においては限定されない。
【００４０】
いくつかの実施形態において、シンセサイザ回路６０６ｄは、フラクショナル‐ＮシンセサイザまたはフラクショナルＮ／Ｎ＋１シンセサイザであってよいが、他のタイプの周波数シンセサイザが好適であってよいように、本実施形態の範囲は、この点においては限定はされない。例えば、シンセサイザ回路６０６ｄは、デルタ‐シグマシンセサイザ、周波数逓倍器、または周波数分周器を用いる位相ロックループを持つシンセサイザであってよい。
【００４１】
シンセサイザ回路６０６ｄは、周波数入力および分周器制御入力に基づき、ＲＦ回路１００６のミキサ回路６０６ａによる使用のために出力周波数を合成するように構成されてよい。いくつかの実施形態において、シンセサイザ回路６０６ｄは、フラクショナルＮ／Ｎ＋１シンセサイザであってよい。
【００４２】
いくつかの実施形態において、周波数入力は電圧制御発振器（ＶＣＯ）によって提供されてよいが、それは要件ではない。分周器制御入力は、所望の出力周波数に依り、ベースバンド回路６０４またはアプリケーションプロセッサ６０２のいずれかによって提供されてよい。
【００４３】
いくつかの実施形態において、分周器制御入力（例えば、Ｎ）は、アプリケーションプロセッサ６０２によって示されるチャネルに基づくルックアップテーブルから判断されてよい。 
【００４４】
ＲＦ回路１００６のシンセサイザ回路６０６ｄは、分周器、遅延ロックループ（ＤＬＬ）、マルチプレクサ、および位相アキュムレータを含んでよい。いくつかの実施形態において、分周器は、デュアルモジュラス分周器（ＤＭＤ）であってよく、位相アキュムレータは、デジタル位相アキュムレータ（ＤＰＡ）であってよい。いくつかの実施形態において、ＤＭＤは、入力信号を、例えば、キャリーアウトに基づきＮまたはＮ＋１のいずれかで分周して、分数分周比をもたらすように構成されてよい。いくつかの例示的な実施形態においては、ＤＬＬは、カスケードされた調整可能な遅延素子のセット、位相検出器、チャージポンプ、およびＤタイプフリップフロップを含んでよい。これらの実施形態において、遅延素子は、ＶＣＯ期間をＮｄの等しい位相パケットに分割するように構成されてよく、ここでＮｄは遅延ラインの遅延素子の数である。このように、ＤＬＬは、遅延ラインによる合計遅延が１ＶＣＯサイクルであることを保証することに寄与すべく、負のフィードバックを提供する。
【００４５】
いくつかの実施形態において、シンセサイザ回路６０６ｄは、出力周波数としてキャリア周波数を生成するように構成されてよい一方、他の実施形態においては、出力周波数は、例えば、キャリア周波数の２倍、キャリア周波数の４倍等、キャリア周波数の倍数であってよく、出力周波数を直交発生器および分周回路と併用して、キャリア周波数において互いに対して複数の異なる位相を持つ多重信号を生成してよい。いくつかの実施形態において、出力周波数は、局部発振器（ＬＯ）周波数（ｆＬＯ）であってよい。いくつかの実施形態において、ＲＦ回路１００６は、同相および直交（ＩＱ）並びに／または極座標変換器を含んでよい。
【００４６】
ＦＥＭ回路６０８は、受信信号パスを含んでよく、受信信号パスは、１または複数のアンテナ６１０から受信されたＲＦ信号を処理し、受信された信号を増幅し、受信された信号を増幅したものをＲＦ回路６０６に対しさらなる処理のために提供するように構成された回路を含んでよい。また、ＦＥＭ回路６０８は、送信信号パスも含んでよく、送信信号パスは、ＲＦ回路６０６によって提供される送信のための信号を、１または複数のアンテナ６１０のうちの１または複数による送信のために、増幅するように構成された回路を含んでよい。
【００４７】
いくつかの実施形態において、ＦＥＭ回路６０８は、送信モード処理および受信モード処理間を切り替えるための送信／受信（ＴＸ／ＲＸ）スイッチを含んでよい。ＦＥＭ回路６０８は、受信信号パスおよび送信信号パスを含んでよい。ＦＥＭ回路６０８の受信信号パスは、受信されたＲＦ信号を増幅し、増幅された受信ＲＦ信号を、例えば、ＲＦ回路６０６への出力として提供するための低雑音増幅器（ＬＮＡ）を含んでよい。ＦＥＭ回路６０８の送信信号パスは、例えば、ＲＦ回路６０６によって提供された入力ＲＦ信号を増幅するためのパワーアンプ（ＰＡ）、および、例えば、アンテナ６１０のうちの１または複数による後続の送信のためにＲＦ信号を生成するための１または複数のフィルタを含んでよい。いくつかの実施形態において、ＵＥデバイス６００は、例えば、メモリおよび／またはストレージ、ディスプレイ、カメラ、センサ並びに／または入／出力（Ｉ／Ｏ）インタフェース等の追加要素を含んでよいが、特許請求された主題の範囲は、この点においては限定されない。
【００４８】
以下は、本明細書で説明された主題の例示的な実装である。本明細書に記載の実施例および当該実施例の変形例のうちの任意のものが、任意の他の１または複数の実施例または変形例のうちの任意の置き換えまたは組み合わせにおいて使用されてよいが、特許請求された主題の範囲は、これらの点において限定はされないことに留意されたい。例１において、ユーザ機器（ＵＥ）の装置は、物理アップリンク制御チャネル（ＰＵＣＣＨ）に基づいて、スケジューリング要求（ＳＲ）送信を構成し、上記スケジューリング要求をバッファステータスレポート（ＢＳＲ）と組み合わせ、上記組み合わされたＳＲおよびＢＳＲを単一のサブフレーム内でネットワークエンティティに送信し、上記組み合わされたＳＲおよびＢＳＲに応答する上記ネットワークエンティティからアップリンクリソーススケジューリングを受信し、且つ上記アップリンクリソーススケジューリングに従い、アップリンクデータを上記ネットワークエンティティに送信するための回路を備えてよい。例２において、例１または本明細書に記載のいずれかの例に係る主題は、さらに、上記ＰＵＣＣＨは、ＰＵＣＣＨフォーマット１、ＰＵＣＣＨフォーマット１ｂ、ＰＵＣＣＨフォーマット２、またはＰＵＣＣＨフォーマット３、またはそれらの組み合わせを含む、装置を含んでよい。例３において、例１または本明細書に記載のいずれかの例に係る主題は、さらに、組み合わされたＳＲおよびＢＳＲを周期的に送信するための無線周波数回路を備えてよい。例４において、例１または本明細書に記載のいずれかの例に係る主題は、さらに、上記ＢＳＲをＰＵＣＣＨフォーマット２またはＰＵＣＣＨフォーマット３のペイロードとして送信するための無線周波数回路を備えてよい。例５において、例１または本明細書に記載のいずれかの例に係る主題は、さらに、上記組み合わされたＳＲおよびＢＳＲ送信が、同一のＰＵＣＣＨリソース内のチャネル状態インジケータ（ＣＳＩ）送信または確認応答／否定応答（ＡＣＫ／ＮＡＣＫ）送信と衝突する場合、上記組み合わされたＳＲおよびＢＳＲを送信せずに、上記ＣＳＩまたは上記ＡＣＫ／ＮＡＣＫを送信するための回路を備えてよい。例６において、例１または本明細書に記載のいずれかの例に係る主題は、さらに、上記ペイロードの１ビットは、ＡＣＫ／ＮＡＣＫおよび非連続送信（ＤＴＸ）状態を示し、上記ペイロードの別のビットは、バッファステータスレポートグループインジケータ（ＢＳＲＧＩ）を示す、装置を含んでよい。例７において、例１または本明細書に記載のいずれかの例に係る主題は、さらに、上記ＢＳＲは２または２より多いグループに分割され、閾値は無線リソース制御（ＲＲＣ）シグナリングによって、または第３世代パートナシッププロジェクト（３ＧＰＰ）規格で定義される通りに構成される、装置を含んでよい。
【００４９】
例８において、ユーザ機器（ＵＥ）の装置は、物理アップリンク制御チャネル（ＰＵＣＣＨ）に基づいてスケジューリング要求（ＳＲ）送信を構成し、上記スケジューリング要求をバッファステータスレポートグループインジケータ（ＢＳＲＧＩ）と組み合わせ、上記組み合わされたＳＲおよびＢＳＲＧＩを単一のサブフレーム内でネットワークエンティティに送信し、上記組み合わされたＳＲおよびＢＳＲＧＩに応答する上記ネットワークエンティティからアップリンクリソーススケジューリングを受信し、且つ上記アップリンクリソーススケジューリングに従い、アップリンクデータを上記ネットワークエンティティに送信するための回路を備えてよい。例９において、例８または本明細書に記載のいずれかの例に係る主題は、さらに、ＰＵＣＣＨフォーマット２に基づく組み合わされたＳＲおよびＢＳＲＧＩメッセージを送信するための回路を備えてよい。例１０において、例８または本明細書に記載のいずれかの例に係る主題は、さらに、上記ＢＳＲＧＩは、ＰＵＣＣＨフォーマット２ペイロードの末尾に、１ビットまたは２ビットを有する、装置を含んでよい。例１１において、例８または本明細書に記載のいずれかの例に係る主題は、さらに、周期的なチャネル状態インジケータ（ＣＳＩ）と共に送信される上記組み合わされたＳＲおよびＢＳＲＧＩメッセージを送信するための回路を備えてよい。例１２において、例８または本明細書に記載のいずれかの例に係る主題は、さらに、上記ＢＳＲＧＩを表わすビットがすべてゼロの場合、上記ＳＲは送信されない、装置を含んでよい。
【００５０】
例１３において、１または複数のコンピュータ可読媒体は、格納された命令を有してよく、上記命令がユーザ機器（ＵＥ）によって実行されると、物理アップリンク制御チャネル（ＰＵＣＣＨ）に基づいてスケジューリング要求（ＳＲ）送信を構成し、上記スケジューリング要求をバッファステータスレポート（ＢＳＲ）と組み合わせ、上記組み合わされたＳＲおよびＢＳＲを単一のサブフレーム内でネットワークエンティティに送信し、上記組み合わされたＳＲおよびＢＳＲに応答する上記ネットワークエンティティからアップリンクリソーススケジューリングを受信し、且つ、上記アップリンクリソーススケジューリングに従い、アップリンクデータを上記ネットワークエンティティに送信する、ことをもたらす。例１４において、例１３または本明細書に記載のいずれかの例に係る主題は、さらに、上記ＰＵＣＣＨは、ＰＵＣＣＨフォーマット１、ＰＵＣＣＨフォーマット１ｂ、ＰＵＣＣＨフォーマット２、またはＰＵＣＣＨフォーマット３、またはそれらの組み合わせを含む、１または複数のコンピュータ可読媒体を含んでよい。例１５において、例１３または本明細書に記載のいずれかの例に係る主題は、さらに、上記命令が上記ＵＥによって実行されると、組み合わされたＳＲおよびＢＳＲを周期的に送信することをもたらす、１または複数のコンピュータ可読媒体を含んでよい。例１６において、例１３または本明細書に記載のいずれかの例に係る主題は、さらに、上記命令が上記ＵＥによって実行されると、上記ＢＳＲをＰＵＣＣＨフォーマット２またはＰＵＣＣＨフォーマット３のペイロードとして送信することをもたらす、１または複数のコンピュータ可読媒体を含んでよい。例１７において、例１３または本明細書に記載のいずれかの例に係る主題は、さらに、上記命令が上記ＵＥによって実行されると、上記組み合わされたＳＲおよびＢＳＲ送信が同一のＰＵＣＣＨリソース内のチャネル状態インジケータ（ＣＳＩ）送信または確認応答／否定応答（ＡＣＫ／ＮＡＣＫ）送信と衝突する場合、上記組み合わされたＳＲおよびＢＳＲを送信せずに、上記ＣＳＩまたは上記ＡＣＫ／ＮＡＣＫを送信することをもたらす、１または複数のコンピュータ可読媒体を含んでよい。例１８において、例１３または本明細書に記載のいずれかの例に係る主題は、さらに、上記ペイロードの１ビットは、ＡＣＫ／ＮＡＣＫおよび非連続送信（ＤＴＸ）状態を示し、上記ペイロードの別のビットは、バッファステータスレポートグループインジケータ（ＢＳＲＧＩ）を示す、１または複数のコンピュータ可読媒体を含んでよい。例１９において、例１３または本明細書に記載のいずれかの例に係る主題は、さらに、上記ＢＳＲは、２または２より多いグループに分割され、閾値は、無線リソース制御（ＲＲＣ）シグナリングによって、または第３世代パートナシッププロジェクト（３ＧＰＰ）規格で定義される通りに構成される、１または複数のコンピュータ可読媒体を含んでよい。
【００５１】
例２０において、１または複数のコンピュータ可読媒体は、格納された命令を有してよく、上記命令がユーザ機器（ＵＥ）によって実行されると、物理アップリンク制御チャネル（ＰＵＣＣＨ）に基づいてスケジューリング要求（ＳＲ）送信を構成し、上記スケジューリング要求をバッファステータスレポートグループインジケータ（ＢＳＲＧＩ）と組み合わせ、上記組み合わされたＳＲおよびＢＳＲＧＩを単一のサブフレーム内でネットワークエンティティに送信し、上記組み合わされたＳＲおよびＢＳＲＧＩに応答する上記ネットワークエンティティからアップリンクリソーススケジューリングを受信し、且つ、上記アップリンクリソーススケジューリングに従い、アップリンクデータを上記ネットワークエンティティに送信する、ことをもたらす。例２１において、例２０または本明細書に記載のいずれかの例に係る主題は、さらに、上記命令が上記ＵＥによって実行されると、ＰＵＣＣＨフォーマット２に基づく上記組み合わされたＳＲおよびＢＳＲＧＩメッセージを送信することをもたらす、１または複数のコンピュータ可読媒体を含んでよい。例２２において、例１３または本明細書に記載のいずれかの例に係る主題は、さらに、上記ＢＳＲＧＩは、ＰＵＣＣＨフォーマット２ペイロードの末尾に１ビットまたは２ビットを有する、１または複数のコンピュータ可読媒体を含んでよい。例２３において、例１３または本明細書に記載のいずれかの例に係る主題は、さらに、上記命令が上記ＵＥによって実行されると、周期的なチャネル状態インジケータ（ＣＳＩ）と共に送信される上記組み合わされたＳＲおよびＢＳＲＧＩメッセージを送信することをもたらす、１または複数のコンピュータ可読媒体を含んでよい。例２４において、例１３または本明細書に記載のいずれかの例に係る主題は、さらに、上記ＢＳＲＧＩを表わすビットがすべてゼロの場合、上記ＳＲは送信されない、１または複数のコンピュータ可読媒体を含んでよい。
【００５２】
特許請求された主題は、ある程度の具体性をもって記載されているものの、それらの構成要素は、特許請求された主題の精神および／または範囲から逸脱することなく、当業者によって変更可能であることを理解されたい。非競合ベースの低レイテンシのスケジューリング要求の送信に関する主題および多くのその付随するユーティリティは、上記説明によって理解されるものと考えられており、特許請求された主題の範囲および／または精神から逸脱することなく、またはその材料の利点、単なる例示的実施形態として記載された先述された形態のすべてを犠牲にすることなく、および／またはさらに例示的実施形態に大きな変更をもたらすことなく、特許請求された主題のコンポーネントの形態、構造および／または配置に対し様々な変更がなされ得ることは自明であろう。特許請求の範囲は、そのような変更を包含および／または含む意図である。
【図１】
2018520529.tif 000005
【図２】
2018520529.tif 000006
【図３】
2018520529.tif 000007
【図４】
2018520529.tif 000008
【図５】
2018520529.tif 000009
【図６】
2018520529.tif 000010
【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
回路を備えるユーザ機器（ＵＥ）の装置であって、
前記回路は、
物理アップリンク制御チャネル（ＰＵＣＣＨ）に基づいて、スケジューリング要求（ＳＲ）送信を構成し、
前記スケジューリング要求をバッファステータスレポート（ＢＳＲ）と組み合わせ、
前記組み合わされたＳＲおよびＢＳＲを単一のサブフレーム内でネットワークエンティティに送信し、
前記組み合わされたＳＲおよびＢＳＲに応答する前記ネットワークエンティティからアップリンクリソーススケジューリングを受信し、
前記アップリンクリソーススケジューリングに従い、アップリンクデータを前記ネットワークエンティティに送信する、装置。
【請求項２】
前記ＰＵＣＣＨは、ＰＵＣＣＨフォーマット１、ＰＵＣＣＨフォーマット１ｂ、ＰＵＣＣＨフォーマット２、またはＰＵＣＣＨフォーマット３、またはそれらの組み合わせを含む、請求項１に記載の装置。
【請求項３】
組み合わされたＳＲおよびＢＳＲを周期的に送信するための無線周波数回路を備える、請求項１または２に記載の装置。
【請求項４】
前記ＢＳＲをＰＵＣＣＨフォーマット２またはＰＵＣＣＨフォーマット３のペイロードとして送信するための無線周波数回路を備える、請求項１から３のいずれか一項に記載の装置。
【請求項５】
前記組み合わされたＳＲおよびＢＳＲ送信が、同一のＰＵＣＣＨリソース内のチャネル状態インジケータ（ＣＳＩ）送信または確認応答／否定応答（ＡＣＫ／ＮＡＣＫ）送信と衝突する場合、前記組み合わされたＳＲおよびＢＳＲを送信せずに、前記ＣＳＩまたは前記ＡＣＫ／ＮＡＣＫを送信するための無線周波数回路を備える、請求項１から４のいずれか一項に記載の装置。
【請求項６】
前記ペイロードの１ビットは、ＡＣＫ／ＮＡＣＫおよび非連続送信（ＤＴＸ）状態を示し、前記ペイロードの別のビットは、バッファステータスレポートグループインジケータ（ＢＳＲＧＩ）を示す、請求項４に記載の装置。
【請求項７】
前記ＢＳＲは２または２より多いグループに分割され、閾値は無線リソース制御（ＲＲＣ）シグナリングによって、または第３世代パートナシッププロジェクト（３ＧＰＰ）規格で定義されるように構成される、請求項１から６のいずれか一項に記載の装置。
【請求項８】
回路を備えるユーザ機器（ＵＥ）の装置であって、
前記回路は、
物理アップリンク制御チャネル（ＰＵＣＣＨ）に基づいてスケジューリング要求（ＳＲ）送信を構成し、
前記スケジューリング要求をバッファステータスレポートグループインジケータ（ＢＳＲＧＩ）と組み合わせ、
前記組み合わされたＳＲおよびＢＳＲＧＩを単一のサブフレーム内でネットワークエンティティに送信し、
前記組み合わされたＳＲおよびＢＳＲＧＩに応答する前記ネットワークエンティティからアップリンクリソーススケジューリングを受信し、
前記アップリンクリソーススケジューリングに従い、アップリンクデータを前記ネットワークエンティティに送信する、装置。
【請求項９】
ＰＵＣＣＨフォーマット２に基づく前記組み合わされたＳＲおよびＢＳＲＧＩメッセージを送信するための無線周波数回路を備える、請求項８に記載の装置。
【請求項１０】
前記ＢＳＲＧＩは、ＰＵＣＣＨフォーマット２ペイロードの末尾に、１ビットまたは２ビットを有する、請求項９に記載の装置。
【請求項１１】
周期的なチャネル状態インジケータ（ＣＳＩ）と共に送信される前記組み合わされたＳＲおよびＢＳＲＧＩメッセージを送信するための無線周波数回路を有する、請求項８から１０のいずれか一項に記載の装置。
【請求項１２】
前記ＢＳＲＧＩを表わすビットがすべてゼロの場合、前記ＳＲは送信されない、請求項８から１１のいずれか一項に記載の装置。
【請求項１３】
物理アップリンク制御チャネル（ＰＵＣＣＨ）に基づいてスケジューリング要求（ＳＲ）送信を構成し、
前記スケジューリング要求をバッファステータスレポート（ＢＳＲ）と組み合わせ、
前記組み合わされたＳＲおよびＢＳＲを単一のサブフレーム内でネットワークエンティティに送信し、
前記組み合わされたＳＲおよびＢＳＲに応答する前記ネットワークエンティティからアップリンクリソーススケジューリングを受信し、
前記アップリンクリソーススケジューリングに従い、アップリンクデータを前記ネットワークエンティティに送信すること
をユーザ機器（ＵＥ）に実行させるためのコンピュータプログラム。
【請求項１４】
前記ＰＵＣＣＨは、ＰＵＣＣＨフォーマット１、ＰＵＣＣＨフォーマット１ｂ、ＰＵＣＣＨフォーマット２、またはＰＵＣＣＨフォーマット３、またはそれらの組み合わせを含む、請求項１３に記載のコンピュータプログラム。
【請求項１５】
前記ＵＥに、組み合わされたＳＲおよびＢＳＲを周期的に送信させるための、請求項１３または１４に記載のコンピュータプログラム。
【請求項１６】
前記ＵＥに、前記ＢＳＲをＰＵＣＣＨフォーマット２またはＰＵＣＣＨフォーマット３のペイロードとして送信させるための、請求項１３から１５のいずれか一項に記載のコンピュータプログラム。
【請求項１７】
前記ＵＥに、
前記組み合わされたＳＲおよびＢＳＲ送信が同一のＰＵＣＣＨリソース内のチャネル状態インジケータ（ＣＳＩ）送信または確認応答／否定応答（ＡＣＫ／ＮＡＣＫ）送信と衝突する場合、前記組み合わされたＳＲおよびＢＳＲを送信せずに、前記ＣＳＩまたは前記ＡＣＫ／ＮＡＣＫを送信させるための、請求項１３から１６のいずれか一項に記載のコンピュータプログラム。
【請求項１８】
前記ペイロードの１ビットは、ＡＣＫ／ＮＡＣＫおよび非連続送信（ＤＴＸ）状態を示し、前記ペイロードの別のビットは、バッファステータスレポートグループインジケータ（ＢＳＲＧＩ）を示す、請求項１６に記載のコンピュータプログラム。
【請求項１９】
前記ＢＳＲは、２または２より多いグループに分割され、閾値は、無線リソース制御（ＲＲＣ）シグナリングによって、または第３世代パートナシッププロジェクト（３ＧＰＰ）規格で定義されるように構成される、請求項１３から１８のいずれか一項に記載のコンピュータプログラム。
【請求項２０】
物理アップリンク制御チャネル（ＰＵＣＣＨ）に基づいてスケジューリング要求（ＳＲ）送信を構成し、
前記スケジューリング要求をバッファステータスレポートグループインジケータ（ＢＳＲＧＩ）と組み合わせ、
前記組み合わされたＳＲおよびＢＳＲＧＩを単一のサブフレーム内でネットワークエンティティに送信し、
前記組み合わされたＳＲおよびＢＳＲＧＩに応答する前記ネットワークエンティティからアップリンクリソーススケジューリングを受信し、
前記アップリンクリソーススケジューリングに従い、アップリンクデータを前記ネットワークエンティティに送信すること
をユーザ機器（ＵＥ）に実行させるためのコンピュータプログラム。
【請求項２１】
前記ＵＥに、ＰＵＣＣＨフォーマット２に基づく前記組み合わされたＳＲおよびＢＳＲＧＩメッセージを送信させるための、請求項２０に記載のコンピュータプログラム。
【請求項２２】
前記ＢＳＲＧＩは、ＰＵＣＣＨフォーマット２ペイロードの末尾に１ビットまたは２ビットを有する、請求項２１に記載のコンピュータプログラム。
【請求項２３】
前記ＵＥに、周期的なチャネル状態インジケータ（ＣＳＩ）と共に送信される前記組み合わされたＳＲおよびＢＳＲＧＩメッセージを送信させるための、請求項２０から２２のいずれか一項に記載のコンピュータプログラム。
【請求項２４】
前記ＵＥに、前記ＢＳＲＧＩを表わすビットがすべてゼロの場合、前記ＳＲを送信させないための、請求項２０から２３のいずれか一項に記載のコンピュータプログラム。
【請求項２５】
請求項１３から１９のいずれか一項または請求項２０から２４のいずれか一項に記載のコンピュータプログラムを記録した１または複数のコンピュータ可読記録媒体。
【手続補正２】
【補正対象書類名】明細書
【補正対象項目名】００５２
【補正方法】変更
【補正の内容】
【００５２】
特許請求された主題は、ある程度の具体性をもって記載されているものの、それらの構成要素は、特許請求された主題の精神および／または範囲から逸脱することなく、当業者によって変更可能であることを理解されたい。非競合ベースの低レイテンシのスケジューリング要求の送信に関する主題および多くのその付随するユーティリティは、上記説明によって理解されるものと考えられており、特許請求された主題の範囲および／または精神から逸脱することなく、またはその材料の利点、単なる例示的実施形態として記載された先述された形態のすべてを犠牲にすることなく、および／またはさらに例示的実施形態に大きな変更をもたらすことなく、特許請求された主題のコンポーネントの形態、構造および／または配置に対し様々な変更がなされ得ることは自明であろう。特許請求の範囲は、そのような変更を包含および／または含む意図である。
（項目１）
回路を備えるユーザ機器（ＵＥ）の装置であって、
上記回路は、
物理アップリンク制御チャネル（ＰＵＣＣＨ）に基づいて、スケジューリング要求（ＳＲ）送信を構成し、
上記スケジューリング要求をバッファステータスレポート（ＢＳＲ）と組み合わせ、
上記組み合わされたＳＲおよびＢＳＲを単一のサブフレーム内でネットワークエンティティに送信し、
上記組み合わされたＳＲおよびＢＳＲに応答する上記ネットワークエンティティからアップリンクリソーススケジューリングを受信し、
上記アップリンクリソーススケジューリングに従い、アップリンクデータを上記ネットワークエンティティに送信する、装置。
（項目２）
上記ＰＵＣＣＨは、ＰＵＣＣＨフォーマット１、ＰＵＣＣＨフォーマット１ｂ、ＰＵＣＣＨフォーマット２、またはＰＵＣＣＨフォーマット３、またはそれらの組み合わせを含む、項目１に記載の装置。
（項目３）
組み合わされたＳＲおよびＢＳＲを周期的に送信するための無線周波数回路を備える、項目１または２に記載の装置。
（項目４）
上記ＢＳＲをＰＵＣＣＨフォーマット２またはＰＵＣＣＨフォーマット３のペイロードとして送信するための無線周波数回路を備える、項目１から３のいずれか一項に記載の装置。
（項目５）
上記組み合わされたＳＲおよびＢＳＲ送信が、同一のＰＵＣＣＨリソース内のチャネル状態インジケータ（ＣＳＩ）送信または確認応答／否定応答（ＡＣＫ／ＮＡＣＫ）送信と衝突する場合、上記組み合わされたＳＲおよびＢＳＲを送信せずに、上記ＣＳＩまたは上記ＡＣＫ／ＮＡＣＫを送信するための無線周波数回路を備える、項目１から４のいずれか一項に記載の装置。
（項目６）
上記ペイロードの１ビットは、ＡＣＫ／ＮＡＣＫおよび非連続送信（ＤＴＸ）状態を示し、上記ペイロードの別のビットは、バッファステータスレポートグループインジケータ（ＢＳＲＧＩ）を示す、項目４に記載の装置。
（項目７）
上記ＢＳＲは２または２より多いグループに分割され、閾値は無線リソース制御（ＲＲＣ）シグナリングによって、または第３世代パートナシッププロジェクト（３ＧＰＰ）規格で定義されるように構成される、項目１から６のいずれか一項に記載の装置。
（項目８）
回路を備えるユーザ機器（ＵＥ）の装置であって、
上記回路は、
物理アップリンク制御チャネル（ＰＵＣＣＨ）に基づいてスケジューリング要求（ＳＲ）送信を構成し、
上記スケジューリング要求をバッファステータスレポートグループインジケータ（ＢＳＲＧＩ）と組み合わせ、
上記組み合わされたＳＲおよびＢＳＲＧＩを単一のサブフレーム内でネットワークエンティティに送信し、
上記組み合わされたＳＲおよびＢＳＲＧＩに応答する上記ネットワークエンティティからアップリンクリソーススケジューリングを受信し、
上記アップリンクリソーススケジューリングに従い、アップリンクデータを上記ネットワークエンティティに送信する、装置。
（項目９）
ＰＵＣＣＨフォーマット２に基づく上記組み合わされたＳＲおよびＢＳＲＧＩメッセージを送信するための無線周波数回路を備える、項目８に記載の装置。
（項目１０）
上記ＢＳＲＧＩは、ＰＵＣＣＨフォーマット２ペイロードの末尾に、１ビットまたは２ビットを有する、項目９に記載の装置。
（項目１１）
周期的なチャネル状態インジケータ（ＣＳＩ）と共に送信される上記組み合わされたＳＲおよびＢＳＲＧＩメッセージを送信するための無線周波数回路を有する、項目８から１０のいずれか一項に記載の装置。
（項目１２）
上記ＢＳＲＧＩを表わすビットがすべてゼロの場合、上記ＳＲは送信されない、項目８から１１のいずれか一項に記載の装置。
（項目１３）
格納された命令を備える１または複数のコンピュータ可読媒体であって、上記命令がユーザ機器（ＵＥ）によって実行されると、
物理アップリンク制御チャネル（ＰＵＣＣＨ）に基づいてスケジューリング要求（ＳＲ）送信を構成し、
上記スケジューリング要求をバッファステータスレポート（ＢＳＲ）と組み合わせ、
上記組み合わされたＳＲおよびＢＳＲを単一のサブフレーム内でネットワークエンティティに送信し、
上記組み合わされたＳＲおよびＢＳＲに応答する上記ネットワークエンティティからアップリンクリソーススケジューリングを受信し、
上記アップリンクリソーススケジューリングに従い、アップリンクデータを上記ネットワークエンティティに送信する、
ことをもたらす、１または複数のコンピュータ可読媒体。
（項目１４）
上記ＰＵＣＣＨは、ＰＵＣＣＨフォーマット１、ＰＵＣＣＨフォーマット１ｂ、ＰＵＣＣＨフォーマット２、またはＰＵＣＣＨフォーマット３、またはそれらの組み合わせを含む、項目１３に記載の１または複数のコンピュータ可読媒体。
（項目１５）
上記命令が上記ＵＥによって実行されると、組み合わされたＳＲおよびＢＳＲを周期的に送信することをもたらす、項目１３または１４に記載の１または複数のコンピュータ可読媒体。
（項目１６）
上記命令が上記ＵＥによって実行されると、上記ＢＳＲをＰＵＣＣＨフォーマット２またはＰＵＣＣＨフォーマット３のペイロードとして送信することをもたらす、項目１３から１５のいずれか一項に記載の１または複数のコンピュータ可読媒体。
（項目１７）
上記命令が上記ＵＥによって実行されると、
上記組み合わされたＳＲおよびＢＳＲ送信が同一のＰＵＣＣＨリソース内のチャネル状態インジケータ（ＣＳＩ）送信または確認応答／否定応答（ＡＣＫ／ＮＡＣＫ）送信と衝突する場合、上記組み合わされたＳＲおよびＢＳＲを送信せずに、上記ＣＳＩまたは上記ＡＣＫ／ＮＡＣＫを送信することをもたらす、項目１３から１６のいずれか一項に記載の１または複数のコンピュータ可読媒体。
（項目１８）
上記ペイロードの１ビットは、ＡＣＫ／ＮＡＣＫおよび非連続送信（ＤＴＸ）状態を示し、上記ペイロードの別のビットは、バッファステータスレポートグループインジケータ（ＢＳＲＧＩ）を示す、項目１６に記載の１または複数のコンピュータ可読媒体。
（項目１９）
上記ＢＳＲは、２または２より多いグループに分割され、閾値は、無線リソース制御（ＲＲＣ）シグナリングによって、または第３世代パートナシッププロジェクト（３ＧＰＰ）規格で定義されるように構成される、項目１３から１８のいずれか一項に記載の１または複数のコンピュータ可読媒体。
（項目２０）
格納された命令を備える１または複数のコンピュータ可読媒体であって、上記命令がユーザ機器（ＵＥ）によって実行されると、
物理アップリンク制御チャネル（ＰＵＣＣＨ）に基づいてスケジューリング要求（ＳＲ）送信を構成し、
上記スケジューリング要求をバッファステータスレポートグループインジケータ（ＢＳＲＧＩ）と組み合わせ、
上記組み合わされたＳＲおよびＢＳＲＧＩを単一のサブフレーム内でネットワークエンティティに送信し、
上記組み合わされたＳＲおよびＢＳＲＧＩに応答する上記ネットワークエンティティからアップリンクリソーススケジューリングを受信し、
上記アップリンクリソーススケジューリングに従い、アップリンクデータを上記ネットワークエンティティに送信する、
ことをもたらす、１または複数のコンピュータ可読媒体。
（項目２１）
上記命令が上記ＵＥによって実行されると、ＰＵＣＣＨフォーマット２に基づく上記組み合わされたＳＲおよびＢＳＲＧＩメッセージを送信することをもたらす、項目２０に記載の１または複数のコンピュータ可読媒体。
（項目２２）
上記ＢＳＲＧＩは、ＰＵＣＣＨフォーマット２ペイロードの末尾に１ビットまたは２ビットを有する、項目２１に記載の１または複数のコンピュータ可読媒体。
（項目２３）
上記命令が上記ＵＥによって実行されると、周期的なチャネル状態インジケータ（ＣＳＩ）と共に送信される上記組み合わされたＳＲおよびＢＳＲＧＩメッセージを送信することをもたらす、項目２０から２２のいずれか一項に記載の１または複数のコンピュータ可読媒体。
（項目２４）
上記ＢＳＲＧＩを表わすビットがすべてゼロの場合、上記ＳＲは送信されない、項目２０から２３のいずれか一項に記載の１または複数のコンピュータ可読媒体。
【国際調査報告】
2018520529.tif 000011
2018520529.tif 000012
2018520529.tif 000013